(57)【特許請求の範囲】
【請求項１】
受水槽に貯留された水をポンプで給水する給水設備において、
前記受水槽には各々検知水位の異なる複数の水位検知器を備え、
第１の水位検知器を異常増水位検知用とし、第２の水位検知器を前記受水槽への市水の流入を制御する電磁弁の閉信号出力用とし、第３の水位検知器を前記電磁弁の開信号出力用及びポンプ空運転防止復帰出力用とし、第４の水位検知器を渇水位によるポンプ空運転防止出力用とすることを特徴とする給水設備。
【請求項２】
前記ポンプ空運転防止出力は前記ポンプの強制停止信号であることを特徴とする請求項１に記載の給水設備。
【請求項３】
前記第３の水位検知器は前記渇水位によるポンプ停止の事前警報としての減水位検知用としても用いることを特徴とする請求項１又は２に記載の給水設備。
【請求項４】
前記減水位は前記受水槽の水位が設定時間以上連続して前記第３の水位検知器未満である場合に検出することを特徴とする請求項３に記載の給水設備。
【請求項５】
受水槽に貯留された水をポンプで給水する給水設備の運転制御装置において、
前記受水槽の第１水位以上になると異常増水と判断し、前記第１水位より低い第２水位になると前記受水槽への市水の流入を制御する電磁弁を閉じ、前記第２水位より低い第３水位以下になると前記電磁弁を開き、前記第３水位より低い第４水位以下になると前記ポンプを停止させ、ポンプの停止後に前記第３水位以上になるとポンプを復帰させるよう制御することを特徴とする給水設備の運転制御装置。
【請求項６】
受水槽に貯留された水をポンプで給水する給水設備において、
前記受水槽には各々検知水位の異なる複数の水位検知器を備え、
第１の水位検知器を異常増水位検知用とし、第２の水位検知器を前記受水槽への市水の流入を制御する電磁弁の閉信号出力用及びポンプ空運転防止復帰出力用とし、第３の水位検知器を前記電磁弁の開信号出力用及びポンプ空運転防止出力用とすることを特徴とする給水設備。
【請求項７】
前記受水槽の水位が設定時間以上連続して前記第３の水位検知器未満である場合に前記ポンプ空運転防止出力として前記ポンプの強制停止信号を出力することを特徴とする請求項６に記載の給水設備。
【請求項８】
受水槽に貯留された水をポンプで給水する給水設備の運転制御装置において、
前記受水槽に設けられた各々検知水位の異なる複数の水位検知器により前記受水槽への市水の流入を制御する電磁弁の開閉制御及び前記受水槽の渇水によるポンプ空運転防止のための前記ポンプの強制停止及び自動復帰を行い、前記複数の水位検知器のうちのひとつを前記電磁弁の閉信号出力用及びポンプ空運転防止復帰出力用とすることを特徴とする給水設備の運転制御装置。
【請求項９】
受水槽に貯留された水をポンプで給水する給水設備の運転制御装置において、
前記受水槽に設けられた各々検知水位の異なる複数の水位検知器により前記受水槽への市水の流入を制御する電磁弁の開閉制御及び前記受水槽の渇水によるポンプ空運転防止のための前記ポンプの強制停止及び自動復帰を行い、前記複数の水位検知器のうちのひとつを前記電磁弁の閉信号出力用及びポンプ空運転防止復帰出力用とし、前記複数の水位検知器のうちの別のひとつを前記電磁弁の開信号出力用及びポンプ空運転防止出力用とすることを特徴とする給水設備の運転制御装置。
【発明の詳細な説明】
【０００１】
【発明の属する技術分野】
本発明は、ポンプの吸込側に設けた受水槽に貯留された水を、ポンプで給排水する給水設備に係り、特に受水槽に設置した水位検知器による運転制御装置に関する。
【０００２】
【従来の技術】
図１３は、給水設備の運転制御装置の概略を示す。受水槽１には、ポンプ２が備えられ、受水槽１に貯えられた水を給水する。受水槽１には、その水位を検出するための電極棒３が設けられており、この電極棒間が水の存在により導通することで、水位を検出し、ポンプ２の運転を制御し、各種警報を発令し、又流入電磁弁４、水位調整弁５を開閉制御して受水槽１への市水の流入を調整する。
【０００３】
従来、ポンプ２吸込側の受水槽１に設置された、例えば電極棒のような水位検知器３は、異常増水警報と、渇水警報によるポンプの空運転防止を行う場合、図９のように電極棒４本で構成されている。また、図９に加えるに、渇水位でポンプが停止する前の事前警報として減水位警報を取る場合、図１０のように電極棒５本で構成されている。また、図９に市水流入電磁弁制御を付加すると、図１１のように電極棒６本で構成されている。
【０００４】
ここでいう市水流入電磁弁とは、図１３のように水位調整弁の子弁として使用され、受水槽１の水位がある一定値まで低下したら受水槽流入口の電磁弁４を開くことにより水位調整弁５が開き、受水槽に水を補給してやるための弁である。水位が再び上昇してある一定値まで達したら、電磁弁４を閉じることにより水位調整弁５が閉じ、受水槽１への水の補給を停止するものである。
【０００５】
さらに図９の装置に減水警報と市水流入電磁弁制御を付加すると、図１２のように電極棒７本で構成される。いずれも一番長い電磁棒はその他の電極棒の共通アースである。
以上のように、例えば図１２の制御を行う場合、電極棒が７本必要となり電極用配線も７本必要となり、図１１の制御を行う場合、電極棒が６本必要となり電極用配線も６本必要となる。
【０００６】
また、一般に電極棒を固定する電極保持器は、１個で最大５本まで電極棒を取り付けることができるため６本以上の電極を使う場合、電極保持器が２個必要となる。
したがって、各種水位制御を行う場合、使用する電極の本数や配線数および電極保持器の数が増え、また電極保持器を２個以上使用しなければならないため受水槽に電極保持器取り付け穴を２個以上開けなければならなかった。
また、従来の制御装置では、電極棒を５本以内とすると、異常増水や減水、渇水の警報または流入電磁弁の開閉等のいずれかの制御ができなかった。
【０００７】
【発明が解決しようとする課題】
本発明は上述の事情に鑑みなされたもので、より少ない水位検出器を用いて、受水槽の水位制御を行うことができる給水設備およびその運転制御装置を提供することを目的とする。
【０００８】
【課題を解決するための手段】
本発明の給水設備は、受水槽に貯留された水をポンプで給水する給水設備において、前記受水槽には各々検知水位の異なる複数の水位検知器を備え、第１の水位検知器を異常増水位検知用とし、第２の水位検知器を前記受水槽への市水の流入を制御する電磁弁の閉信号出力用とし、第３の水位検知器を前記電磁弁の開信号出力用及びポンプ空運転防止復帰出力用とし、第４の水位検知器を渇水位によるポンプ空運転防止出力用とすることを特徴とする。
【０００９】
又、前記ポンプ空運転防止出力は前記ポンプの強制停止信号であることを特徴とする。
又、前記第３の水位検知器は前記渇水位によるポンプ停止の事前警報としての減水位検知用としても用いることを特徴とする。
又、前記減水位は前記受水槽の水位が設定時間以上連続して前記第３の水位検知器未満である場合に検出することを特徴とする。
【００１０】
本発明の給水設備の運転制御装置は、受水槽に貯留された水をポンプで給水する給水設備の運転制御装置において、前記受水槽の第１水位以上になると異常増水と判断し、前記第１水位より低い第２水位になると前記受水槽への市水の流入を制御する電磁弁を閉じ、前記第２水位より低い第３水位以下になると前記電磁弁を開き、前記第３水位より低い第４水位以下になると前記ポンプを停止させ、ポンプの停止後に前記第３水位以上になるとポンプを復帰させるよう制御することを特徴とする。
【００１１】
本発明の給水設備の他の態様は、受水槽に貯留された水をポンプで給水する給水設備において、前記受水槽には各々検知水位の異なる複数の水位検知器を備え、第１の水位検知器を異常増水位検知用とし、第２の水位検知器を前記受水槽への市水の流入を制御する電磁弁の閉信号出力用及びポンプ空運転防止復帰出力用とし、第３の水位検知器を前記電磁弁の開信号出力用及びポンプ空運転防止出力用とすることを特徴とする。
【００１２】
又、前記受水槽の水位が設定時間以上連続して前記第３の水位検知器未満である場合に前記ポンプ空運転防止出力として前記ポンプの強制停止信号を出力することを特徴とする。
【００１３】
本発明の給水設備の運転制御装置の他の態様は、受水槽に貯留された水をポンプで給水する給水設備の運転制御装置において、前記受水槽に設けられた各々検知水位の異なる複数の水位検知器により前記受水槽への市水の流入を制御する電磁弁の開閉制御及び前記受水槽の渇水によるポンプ空運転防止のための前記ポンプの強制停止及び自動復帰を行い、前記複数の水位検知器のうちのひとつを前記電磁弁の閉信号出力用及びポンプ空運転防止復帰出力用とすることを特徴とする。
【００１４】
本発明の給水設備の運転制御装置の他の態様は、受水槽に貯留された水をポンプで給水する給水設備の運転制御装置において、前記受水槽に設けられた各々検知水位の異なる複数の水位検知器により前記受水槽への市水の流入を制御する電磁弁の開閉制御及び前記受水槽の渇水によるポンプ空運転防止のための前記ポンプの強制停止及び自動復帰を行い、前記複数の水位検知器のうちのひとつを前記電磁弁の閉信号出力用及びポンプ空運転防止復帰出力用とし、前記複数の水位検知器のうちの別のひとつを前記電磁弁の開信号出力用及びポンプ空運転防止出力用とすることを特徴とする。
【００１５】
本発明の給水設備の運転制御装置の好ましい態様は、ポンプの吸込側に設けた受水槽には、その水位を検知する各々検知水位の異なる４個の水位検知器を具備し、水位が、一番上位の第１の水位検知器以上で異常増水位状態と判断し、水位が、第１の水位検知器未満で非異常増水位状態と判断し、水位が上位から三番目の第３の水位検知器未満で前記受水槽に水を流入させる電磁弁の開信号を出力し、かつ減水位状態と判断し、水位が、第３の水位検知器以上で非減水位状態と判断し、また水位が、上位から二番目の第２の水位検知器以上に復帰したら前記電磁弁の閉信号を出力し、水位が上位から四番目の第４の水位検知器未満で渇水位状態と判断し、同時にポンプ空運転防止用強制停止信号を出力し、また水位が、第３の水位検知器以上に復帰したら非渇水位状態と判断し、同時にポンプ空運転防止用強制停止信号を解除するようになっている。
【００１６】
又、水位が、第３の水位検知器未満でその状態が予め設定された時限タイマの設定時間以上継続した場合、減水位状態と判断することが好ましい。
【００１７】
又、ポンプの吸込側に設けた受水槽には、その水位を検知する各々検知水位の異なる３個の水位検知器を具備し、水位が、一番上位の第１の水位検知器以上で異常増水位状態と判断し、水位が、第１の水位検知器未満で非異常増水位状態と判断し、水位が上位から三番目の第３の水位検知器未満で前記受水槽に水を流入させる電磁弁の開信号を出力し、また水位が、上位から二番目の第２の水位検知器以上に復帰したら前記電磁弁の閉信号を出力し、かつ水位が、第３の水位検知器未満でその状態が予め設定された時限タイマの設定時間以上継続した場合、渇水位状態と判断し、同時にポンプ空運転防止用強制停止信号を出力し、また水位が、第２の水位検知器以上に復帰したら非渇水位状態と判断し、同時にポンプ空運転防止用強制停止信号を解除することが好ましい。
【００１８】
【発明の実施の態様】
本発明は図１に示すように、ポンプの吸込側に設けた受水槽の水位を検知する水位検知器として、各々検知水位の異なる４個の水位検知器Ｌ１，Ｌ２，Ｌ３，Ｌ４を具備し、水位が、一番上位の第１の水位検知器Ｌ１以上で異常増水位状態と判断し、水位が、第１の水位検知器Ｌ１未満で非異常増水位状態と判断する。水位が上位から三番目の第３の水位検知器Ｌ３未満で流入電磁弁の開信号を出力し、かつ減水位状態と判断し、水位が、第３の水位検知器Ｌ３以上で非減水位状態と判断する。また水位が、上位から二番目の第２の水位検知器Ｌ２以上に復帰したら流入電磁弁の閉信号を出力して市水の流入を停止する。水位が上位から四番目の第４の水位検知器Ｌ４未満で渇水位状態と判断し、同時にポンプ空運転防止用強制停止信号を出力し、また水位が、第３の水位検知器Ｌ３以上に復帰したら非渇水位状態と判断し、同時にポンプ空運転防止用強制停止信号を解除している。
【００１９】
図４及び図５は、この運転制御装置の第１実施態様の制御フローを示す。まず図４（Ａ）のフローで、受水槽水位が第１の水位検知器Ｌ１以上であるか否かが判断される。“ＹＥＳ”である場合は、異常増水位状態と判断され、異常増水位を知らせるランプが点灯する。“ＮＯ”である場合は、異常増水位状態ではないと判断される。図４（Ｂ）のフローでは、受水槽水位が第３の水位検知器Ｌ３未満であるか否かが判断される。“ＹＥＳ”である場合は、減水位状態であると判断され、減水位を知らせるランプが点灯する。“ＮＯ”である場合は、検知された水位が第３の水位以上であり、非減水位状態と判断される。
【００２０】
図５（Ａ）は、市水流入電磁弁の開閉フローを示す。受水槽水位が第２の水位検知器Ｌ２以上であるか否かが判断される。そして、”ＹＥＳ”である場合は電磁弁が閉じられ、“ＮＯ”である場合は、受水槽水位が第３の水位検知器Ｌ３未満であるか否かが判断される。“ＹＥＳ”である場合は電磁弁が開かれ、”ＮＯ”である場合は、▲１▼第２の水位検知器Ｌ２以上の水位から下降してきた場合は電磁弁が閉じられる。そして、▲２▼第３の水位Ｌ３未満から上昇してきた場合は電磁弁が開かれる。
【００２１】
図５（Ｂ）は、渇水位状態の制御フローを示す。これは、受水槽水位が第４の水位検知器Ｌ４未満に達したときに、渇水位と判断してポンプの空運転防止のため、ポンプを停止すると共に渇水警報を出力する動作である。まず、受水槽水位が第３の水位検知器Ｌ３以上であるか否かが判断され、次に受水槽水位が第４の水位検知器Ｌ４未満であるか否かが判断される。そして、第３の水位検知器Ｌ３以上の水位から第４の水位検知器Ｌ４未満に下降してきたときに、ポンプの運転が停止され、同時に渇水警報が出される。そして、第４の水位検知器Ｌ４未満の水位から第３の水位検知器Ｌ３以上の水位に上昇してきたときに、ポンプが自動復帰し、その運転が可能となると共に渇水警報が解除される。
【００２２】
上記のようにポンプの吸込側に設けた受水槽の水位検出器Ｌ１，Ｌ２，Ｌ３，Ｌ４によって、第１の水位検知器Ｌ１を異常増水位検知用とし、第２の水位検知器Ｌ２を流入電磁弁閉信号出力用とする。第３の水位検知器Ｌ３を流入電磁弁開信号出力用および減水位検知用および渇水位によるポンプ空運転防止復帰出力用とし、第４の水位検知器Ｌ４を渇水位によるポンプ空運転防止出力用とする。これにより従来６個の水位検知器を必要とした水位制御を、４個の水位検知器で行うことができる。
【００２３】
図２は、本発明の第２の実施態様を示す。水位が、第３の水位検知器Ｌ３未満でその状態が予め設定された時限タイマの設定時間以上継続した場合、減水位状態と判断して減水位警報を出力するようにしている。図４（Ｃ）は、この制御フローを示す。
【００２４】
図４（Ｃ）のフローでは、受水槽水位が第３の水位検知器Ｌ３未満であることを検知した場合に、時限タイマがスタートする動作を示している。尚、電磁弁は図５（Ａ）のフローによりすぐに開く。まず、受水槽水位が第３の水位検知器Ｌ３未満であるか否かが判断される。“ＹＥＳ”である場合には、時限タイマがスタートし、そして時限タイマがタイムアップしたか否かが判断される。時限タイマがタイムアップしていない場合は、受水槽水位が第３の水位検知器Ｌ３以上であるか否かが再び判断され、“ＹＥＳ”である場合は、時限タイマがリセットされる。即ち、水位がＬ３以上に回復した場合には、減水位状態ではないと判断され、減水警報は出力されない。“ＮＯ”である場合は、時限タイマのカウントが継続され、タイムアップ時に水位がＬ３未満である場合は、減水位状態であると判断され、減水警報が出力される。
【００２５】
水位が第３の水位検知器Ｌ３未満で流入電磁弁が開き、徐々に水位が上昇していく場合は、正常動作のため一般的に流入電磁弁が開いた瞬間に同時に減水警報を出力する必要がない。また第３の水位検知器Ｌ３付近における水面の波立ち等で、水位が一定しない場合の減水警報のチャタリング防止ということもある。このため、水位が第３の水位検知器Ｌ３以下となり予め設定された時限タイマの設定時間内に水位が第３の水位検知器Ｌ３以上に上昇した場合は減水警報を出力せず、なんらかの原因で時限タイマの設定時間以上連続して水位が第３の水位検知器Ｌ３未満の場合に、初めて減水警報を出力することにしている。これにより、正常に水位が上昇した場合に不要な減水警報の出力をさせないことができる。
【００２６】
図３は、本発明の第３の実施態様を示す。ポンプの吸込側に設けた受水槽の水位を検知する水位検知器として、各々検知水位の異なる３個の水位検知器Ｓ１、Ｓ２，Ｓ３を具備する。水位が、一番上位の第１の水位検知器Ｓ１以上で異常増水位状態と判断し、水位が、第１の水位検知器Ｓ１未満で非異常増水位状態と判断する。水位が上位から三番目の第３の水位検知器Ｓ３未満で流入電磁弁の開信号を出力し、また水位が、上位から二番目の第２の水位検知器Ｓ２以上に復帰したら流入電磁弁の閉信号を出力し、かつ水位が、第３の水位検知器Ｓ３未満でその状態が予め設定された時限タイマの設定時間以上継続した場合、渇水位状態と判断し警報を出力すると共に、同時にポンプ空運転防止用強制停止信号を出力する。また水位が、第２の水位検知器Ｓ２以上に復帰したら非渇水位状態と判断し警報を解除すると共に、同時にポンプ空運転防止用強制停止信号を解除している。
【００２７】
図６は、第３の実施態様を示すフローチャートである。図６（Ａ）に示すように、受水槽水位が第１の水位検知器Ｓ１以上である場合には、異常増水位と判断し、異常増水位であることを示すランプを点灯する。
【００２８】
図６（Ｂ）は、市水流入電磁弁の開閉フローを示す。受水槽水位が第２の水位検知器Ｓ２以上であるか否かが判断される。そして、“ＮＯ”である場合は、受水槽水位が第３の水位検知器Ｓ３未満であるか否かが判断される。“ＮＯ”である場合は、▲１▼第２の水位検知器Ｓ２以上の水位から下降してきた場合は電磁弁が閉じられる。そして、▲２▼第３の水位Ｓ３未満から上昇してきた場合は電磁弁が開かれる。
【００２９】
図６（Ｃ）は、渇水位状態の制御フローを示す。これは、受水槽水位が第３の水位検知器Ｓ３未満に達したときに、渇水位と判断してポンプの空運転防止のため、ポンプを停止すると共に警報を出力する動作である。まず、受水槽水位が第２の水位検知器Ｓ２以上であるか否かが判断され、次に受水槽水位が第３の水位検知器Ｓ３未満であるか否かが判断される。そして、第２の水位検知器Ｓ２以上の水位から第３の水位検知器Ｓ３未満に下降してきたときに、ポンプの運転が停止され、同時に渇水警報が出される。そして、第３の水位検知器Ｓ３未満の水位から第２の水位検知器Ｓ２以上の水位に上昇してきたときに、ポンプが自動復帰してその運転が可能となると共に警報が解除される。
【００３０】
この制御フローにおいても、第３の水位検知器Ｓ３未満に達したか否かは、時限タイマにより一定時間内に水位が回復したか否かを確認して行うようになっている。即ち、時限タイマのカウント中に受水槽水位がＳ３以上に回復したら、渇水警報の出力及びポンプ停止は行なわれない。時限タイマがカウントアップして、尚、受水槽水位がＳ３未満である場合にのみ、渇水警報の出力及びポンプ停止が行なわれる。
【００３１】
このように、第１の水位検知器Ｓ１を異常増水位検知用とし、第２の水位検知器Ｓ２を流入電磁弁閉信号出力用および渇水位によるポンプ空運転防止復帰出力用とする。第３の水位検知器Ｓ３を流入電磁弁開信号出力用および渇水位によるポンプ空運転防止（停止信号）出力用とする。水位が第３の水位検知器Ｓ３未満で流入電磁弁が開き、徐々に水位が上昇していく場合は、正常動作のため一般的に流入電磁弁が開いた瞬間に同時に渇水警報およびポンプ空運転防止用強制停止信号を出力する必要がない。このため、水位が第３の水位検知器Ｓ３以下となり予め設定された時限タイマの設定時間内に水位が第３の水位以上に上昇した場合は渇水警報およびポンプ空運転防止用強制停止信号を出力せず、なんらかの原因で時限タイマの設定時間以上連続して水位が第３の水位未満の場合、初めて渇水警報およびポンプ空運転防止用強制停止信号を出力する。これにより、正常に水位が上昇した場合に不要な渇水警報およびポンプ空運転防止用強制停止信号を出力せず、従来５個の水位検知器を必要とした水位制御を３個の水位検知器Ｓ１，Ｓ２，Ｓ３で行うことができる。
【００３２】
【実施例】
次に、図７乃至図８を参照して、本発明の実施例を説明する。
【００３３】
図７は、本発明の第１実施例を示す。符号３３Ｗは液面リレーで、３３Ｗ内のリレーｘ１〜ｘ４は、各々電極Ｅ１〜Ｅ５間、Ｅ２〜Ｅ５間、Ｅ３〜Ｅ５間、Ｅ４〜Ｅ５間が水を介しての導通がある場合、各々ａ接点が閉となり、ｂ接点が開となる。一方、水がなく非導通の場合、各々ａ接点が開となり、ｂ接点が閉となる。
【００３４】
符号ＳＷはポンプの運転スイッチ、５２は動力回路の電磁接触器、Ｍは電動機、Ｐはポンプ、ＡＶは水位調整弁、ＳＶは水位調整弁ＡＶの子弁である通電時開、非通電時閉となる市水流入電磁弁、ＬＡ１〜ＬＡ３はランプ、Ｙ１〜Ｙ２は補助リレー、Ｔは時限タイマを示す。
【００３５】
▲１▼受水槽の水位が第１水位Ｌ１以上になるとＥ１〜Ｅ５間のリレーｘ１のａ接点が閉となり、異常増水ランプＬＡ１が通電され点灯する。水位が第１水位Ｌ１未満になるとリレーｘ１のａ接点が開となり、異常増水ランプＬＡ１が消灯する。
【００３６】
▲２▼受水槽の水位が第３水位Ｌ３未満になると、Ｅ３〜Ｅ５間のリレーｘ３のｂ接点が閉となり、時限タイマＴが作動する。時限タイマＴの設定時間内に水位が第３水位Ｌ３以上になると時限タイマＴのａ接点が閉じる前にリレーｘ３のｂ接点が開となり、減水ランプＬＡ２は点灯しない。
一方、時限タイマＴの設定時間内に水位が第３水位Ｌ３以上にならない場合、リレーｘ３のｂ接点が閉じ、かつ時限タイマＴのａ接点が閉じて減水ランプＬＡ２が通電され点灯する。その後水位が第３水位Ｌ３以上になるとリレーｘ３のｂ接点が開となり、時限タイマの動作が中止すると共に減水ランプＬＡ２が消灯する。
【００３７】
▲３▼受水槽の水位がＬ３未満になるとＥ３〜Ｅ５間のリレーｘ３のｂ接点が閉となり、さらに水位がＬ４未満になるとＥ４〜Ｅ５間のリレーｘ４のｂ接点が閉となり、渇水ランプＬＡ３が導通し点灯するとともに補助リレーＹ１のコイルが励磁され、補助リレーＹ１のａ接点がリレーｘ４のｂ接点と並列接続され自己保持回路を作る。
同時に電磁接触器５２のコイルと直列に接続された補助リレーＹ１のｂ接点が開となり、電磁接触器５２のコイルは非励磁となって動力回路の電磁接触器５２の接点が開となるためポンプモータは停止し空運転防止動作を行う。
【００３８】
一方、水位が上昇して第４水位Ｌ４以上になるとリレーｘ４のｂ接点は開となるが並列接続された補助リレーＹ１の自己保持ａ接点により補助リレーＹ１およびランプＬＡ３は励磁および点灯を継続する。
さらに水位が上昇して第３水位Ｌ３以上になるとリレーｘ３のｂ接点が開となり、補助リレーＹ１が非励磁およびランプＬＡ３が消灯し、同時に電磁接触器５２のコイルと直列に接続された補助リレーＹ１のｂ接点が閉となり、電磁接触器５２のコイルが励磁され、動力回路の電磁接触器５２の接点が閉となり自動復帰となってポンプモータが運転再開される。
【００３９】
▲４▼また、受水槽の水位が第２水位Ｌ２未満になるとＥ２〜Ｅ５間のリレーｘ２のｂ接点が閉となり、さらに水位が第３水位Ｌ３未満になるとＥ３〜Ｅ５間のリレーｘ３のｂ接点が閉となり、市水流入電磁弁ＳＶが通電されて電磁弁開となるとともに補助リレーＹ２のコイルが励磁され補助リレーＹ２のａ接点がリレーｘ３のｂ接点と並列接続され自己保持回路を作る。市水流入電磁弁ＳＶが開いて水位調整弁ＡＶから受水槽に水が補給され水位が上昇して第３水位Ｌ３以上になるとリレーｘ３のｂ接点が開となるが並列接続された補助リレーＹ２の自己保持ａ接点により補助リレーＹ２および市水流入電磁弁ＳＶは励磁および通電による開状態を継続する。
さらに水位が上昇して第２水位Ｌ２以上になるとリレーｘ２のｂ接点が開となり、補助リレーＹ２が非励磁および市水流入電磁弁ＳＶが無通電により閉となり、水位調整弁ＡＶが閉となる。
【００４０】
図８は、本発明の第２実施例を示す。符号３３Ｗは液面リレーで、３３Ｗ内のリレーｘ１〜ｘ３は、各々電極Ｅ１〜Ｅ４間、Ｅ２〜Ｅ４間、Ｅ３〜Ｅ４間が水を介しての導通がある場合、各々ａ接点が閉となり、ｂ接点が開となる。一方、水がなく非導通の場合、各々ａ接点が開となり、ｂ接点が閉となる。
【００４１】
符号ＳＷはポンプの運転スイッチ、５２は動力回路の電磁接触器、Ｍは電動機、Ｐはポンプ、ＡＶは水位調整弁、ＳＶは水位調整弁ＡＶの子弁である通電時開、非通電時閉となる市水流入電磁弁、ＬＡ１〜ＬＡ２はランプ、Ｙ１は補助リレー、Ｔは時限タイマを示す。
【００４２】
▲１▼受水槽の水位が第１水位Ｓ１以上になるとＥ１〜Ｅ４間のリレーｘ１のａ接点が閉となり、異常増水ランプＬＡ１が通電され点灯する。水位がＳ１未満になるとリレーｘ１のａ接点が開となり、異常増水ランプＬＡ１が消灯する。
【００４３】
▲２▼受水槽の水位が第３水位（ポンプ停止水位）Ｓ３未満になるとＥ３〜Ｅ４間のリレーｘ３のｂ接点が閉となり、時限タイマＴが作動する。時限タイマＴの設定時間内に水位が第３水位Ｓ３以上になると時限タイマＴのａ接点Ｔ２が閉じる前にリレーｘ３のｂ接点が開となり、渇水ランプＬＡ２は点灯しない。
一方、時限タイマＴの設定時間内に水位が第３水位Ｓ３以上にならない場合、リレーｘ２およびｘ３のｂ接点が閉じ、かつ時限タイマＴのａ接点Ｔ２が閉じて渇水ランプＬＡ２が通電され点灯するとともに、タイマＴのもう一方のａ接点Ｔ１がリレーｘ３のｂ接点と並列接続され自己保持回路を作る。
【００４４】
同時に電磁接触器５２のコイルと直列に接続されたタイマＴのｂ接点が開となり電磁接触器５２のコイルは非励磁となって動力回路の電磁接触器５２の接点が開となるためポンプモータは停止し空運転防止動作を行う。
一方、水位が上昇して第３水位Ｓ３以上になるとリレーｘ３のｂ接点は開となるが並列接続されたタイマＴの自己保持ａ接点Ｔ１によりタイマＴは励磁を、またもう一方のタイマＴのａ接点Ｔ２によりランプＬＡ２は点灯を継続する。
さらに水位が上昇して第２水位Ｓ２以上になるとリレーｘ２のｂ接点が開となり、タイマＴが非励磁およびランプＬＡ２が消灯し、同時に電磁接触器５２のコイルと直列に接続されたタイマＴのｂ接点が閉となり、電磁接触器５２のコイルが励磁され動力回路の電磁接触器５２の接点が閉となり自動復帰となってポンプモータが運転再開される。
【００４５】
▲３▼受水槽の水位が第２水位Ｓ２未満になるとＥ２〜Ｅ４間のリレーｘ２のｂ接点が閉となり、さらに水位が第３水位Ｓ３未満になるとＥ３〜Ｅ４間のリレーｘ３のｂ接点が閉となり、市水流入電磁弁ＳＶが通電されて電磁弁開となるとともに補助リレーＹ１のコイルが励磁され補助リレーＹ１のａ接点がリレーｘ３のｂ接点と並列接続され自己保持回路を作る。市水流入電磁弁ＳＶが開いて水位調整弁ＡＶから受水槽に水が補給される。水位が上昇して第３水位以上になるとリレーｘ３のｂ接点は開となるが並列接続された補助リレーＹ１の自己保持ａ接点により補助リレーＹ１および市水流入電磁弁ＳＶは励磁および通電による開状態を継続する。
【００４６】
さらに水位が上昇して第２水位Ｓ２以上になるとリレーｘ２のｂ接点が開となり、補助リレーＹ１が非励磁および市水流入電磁弁ＳＶが無通電により閉となり、水位調整弁ＡＶが閉となり、市水の流入が停止する。
【００４７】
尚、上記実施例では水位検知器を電極棒として説明したが、水位検出器は電極棒に限られるものではなく、フロートスイッチ等の水位検知器でも同一の効果が得られることは言う迄もない。又、電極棒或いはフロートスイッチのように、検出する水位に対応した複数の装置を用いるのでなく、１個の例えば水圧計等を用い、そのアナログ的な出力から、第１、第２、第３等の水位を検出するようにしてもよい。又、本実施例では受水槽の水を加圧送水する例について説明したが、受水槽に貯えられた水を排水する場合にも、本発明の趣旨を同様に適用できるのは勿論のことである。さらに又、受水槽に流入する水を電磁弁の開閉と水位調整弁の開閉を用いた例を説明したが、電磁弁の開閉でこれを行っても勿論よく、又他の開閉手段を用いても勿論よい。
【００４８】
また、上記液面リレー３３Ｗ内のリレーｘ１〜ｘ４等の接点動作および市水流入電磁弁の通電時開等の動作は、本実施例の動作のものに限られるものではなく、他の動作特性のものにおいても相当の回路構成にすれば同一の制御が行えること、並びにそれ以外の回路についても本実施例の回路構成に限られるものではないことは勿論のことである。このように本発明の趣旨を逸脱することなく、種々の変形実施例が可能である。
【００４９】
【発明の効果】
以上に説明したように、本発明によれば、下記のような優れた効果がある。
ポンプの吸込側に設けた受水槽の水位検知器として、第１の水位検知器を異常増水位検知用とし、第２の水位検知器を流入電磁弁閉信号出力用とし、第３の水位検知器を流入電磁弁開信号出力用および減水位検知用および渇水位によるポンプ空運転防止復帰用とする。第４の水位検知器を渇水位によるポンプ空運転防止出力用とする。このことにより従来６個の水位検知器を必要とした水位制御を４個の水位検知器で行うことができる。
【００５０】
また、上述した水位が第３の水位検知器未満で市水の流入電磁弁が開き、徐々に水位が上昇していく場合は、正常動作のため一般的に流入電磁弁が開いた瞬間に同時に減水警報を出力する必要がない。第３の水位検知器付近における水面の波立ち等で水位が一定しない場合の減水警報のチャタリング防止ということもあり、水位が第３の水位検知器以下となり予め設定された時限タイマの設定時間内に水位が第３の水位検知器以上に上昇した場合には、減水警報を出力しない。なんらかの原因で時限タイマの設定時間以上連続して水位が第３の水位検知器未満の場合、初めて減水警報を出力することにより、正常に水位が上昇した場合に不要な減水警報を出力させないことができる。
【００５１】
また、第１の水位検知器を異常増水位検知用とし、第２の水位検知器を流入電磁弁閉信号出力用および渇水位によるポンプ空運転防止復帰出力用とする。第３の水位検知器を流入電磁弁開信号出力用および渇水位によるポンプ空運転防止出力用とする。渇水位によるポンプ空運転防止出力用は水位が第３の水位検知器未満で流入電磁弁が開き、徐々に水位が上昇していく場合は、正常動作のため一般的に流入電磁弁が開いた瞬間に同時に渇水警報およびポンプ空運転防止用強制停止信号を出力する必要がない。水位が第３の水位検知器以下となり、なんらかの原因で時限タイマの設定時間以上連続して水位が第３の水位検知器未満の場合、初めて渇水警報およびポンプ空運転防止用強制停止信号を出力する。このことにより、正常に水位が上昇した場合に不要な渇水警報およびポンプ空運転防止用強制停止信号を出力しない。そして、従来５個の水位検知器を必要とした水位制御を３個の水位検知器で行うことができる。
【図面の簡単な説明】
【図１】本発明の第１実施態様の運転制御装置の説明図。
【図２】本発明の第２実施態様の運転制御装置の説明図。
【図３】本発明の第３実施態様の運転制御装置の説明図。
【図４】本発明の第１実施態様の運転制御装置の制御フロー図。
【図５】本発明の第２実施態様の運転制御装置の制御フロー図。
【図６】本発明の第３実施態様の運転制御装置の制御フロー図。
【図７】本発明の第１実施例の運転制御装置の回路図。
【図８】本発明の第２実施例の運転制御装置の回路図。
【図９】従来の運転制御装置の説明図であり、電極棒を４本用いた例を示す。
【図１０】従来の運転制御装置の説明図であり、電極棒を５本用いた例を示す。
【図１１】従来の運転制御装置の説明図であり、電極棒を６本用いた例を示す。
【図１２】従来の運転制御装置の説明図であり、電極棒を７本用いた例を示す。
【図１３】給水設備の概略を示す説明図。
【符号の説明】
１    受水槽
２    ポンプ
３    電極棒
４    流入電磁弁
５    水位調整弁
Ｌ１，Ｌ２，Ｌ３，Ｌ４  水位（検知器）
Ｓ１，Ｓ２，Ｓ３，Ｓ４  水位（検知器）
【図１】
0003578754.tif 000002
【図２】
0003578754.tif 000003
【図３】
0003578754.tif 000004
【図４】
0003578754.tif 000005
【図５】
0003578754.tif 000006
【図６】
0003578754.tif 000007
【図７】
0003578754.tif 000008
【図８】
0003578754.tif 000009
【図９】
0003578754.tif 000010
【図１０】
0003578754.tif 000011
【図１１】
0003578754.tif 000012
【図１２】
0003578754.tif 000013
【図１３】
0003578754.tif 000014